(57)【要約】【課題】電気配線の断線が生じにくい遊技機を提供する。【解決手段】左固定部材６３には演出制御基板９５が固定されて設けられる。演出制御基板９５には、電気配線９０が接続される。演出部材６２は、電気配線９０を間にして左固定部材６３に対向して設けられる。演出部材６２は、弾性体９１を備える。左固定部材６３と演出部材６２が固定された場合、弾性体９１は左固定部材６３と演出部材６２とが対向する方向で電気配線９０と接触する。これにより、電気配線９０の動きは抑制される。そして、電気配線９０が動く場合であっても、電気配線９０の動きに応じて弾性体９１は変形できるので、電気配線９０に作用する負荷は小さくなる。よって、電気配線９０は断線が生じにくい。【選択図】図１３
2020092873.tif 000002
【特許請求の範囲】
【請求項１】
遊技盤に設けられた特定部材と、
前記特定部材に配設された電気配線と、
前記電気配線を間にして前記特定部材と対向する対向部材と、
前記対向部材に設けられ、前記電気配線と接触する弾性体と
を備えたことを特徴とする遊技機。
【請求項２】
前記対向部材に配置され、前記特定部材と前記対向部材とが対向する方向に沿って凸又は凹となる部位であって、前記弾性体と対向する配置部を備えたことを特徴とする請求項１に記載の遊技機。
【請求項３】
前記弾性体は、前記電気配線が延びる方向に沿って延びることを特徴とする請求項１又は２の何れかに記載の遊技機。
【請求項４】
前記特定部材は、前記遊技盤に固定される固定部材を備え、
前記対向部材は、前記固定部材と対向した演出部材であることを特徴とする請求項１〜３の何れかに記載の遊技機。
【請求項５】
前記特定部材は、
前記遊技盤に対して一定方向に移動可能に設けられた可動部材と、
前記遊技盤に固定される固定部材とを備え、
前記対向部材は、前記固定部材と対向した演出部材を備え、
前記電気配線は、前記可動部材と前記固定部材とに接続し、且つ前記可動部材と連動し、
前記弾性体は、前記一定方向に沿って延びることを特徴とする請求項１〜４の何れかに記載の遊技機。
【請求項６】
前記一定方向に延び、前記可動部材の移動を案内するガイド部材を備え、
前記ガイド部材は、前記固定部材と前記演出部材とで挟持されることで保持されること
を特徴とする請求項５に記載の遊技機。
【請求項７】
前記電気配線の可動範囲を避ける位置に設けられ、正逆回転することで前記可動部材を前記一定方向に移動させる駆動源を備えることを特徴とする請求項５又は６の何れかに記載の遊技機。
【請求項８】
前記一定方向に延び、前記可動部材の移動を案内するガイド部材を備え、
前記駆動源は、前記固定部材に対して前記一定方向と直交する所定方向における一方側の端部に設けられ、
前記可動部材は、
前記所定方向における一方側の端部であって、前記駆動源と連結する駆動部と、
前記所定方向における他方側の端部であって、前記駆動部に従動する従動部とを備え、
前記ガイド部材は、
前記駆動部の移動を案内する第一ガイド部材と、
前記従動部の移動を案内する第二ガイド部材とを備え、
前記電気配線は、前記固定部材に対して前記所定方向における他方側の端部に設けられることを特徴とする請求項７に記載の遊技機。
【請求項９】
前記対向部材と前記特定部材の何れか一方に設けられた第一係合部と、
前記対向部材と前記特定部材の何れか他方に設けられ、前記第一係合部と係合可能な第二係合部と、
前記何れか一方に設けられ、前記弾性体に対して前記第一係合部とは反対側に設けられた第一嵌合部と、
前記何れか他方に設けられ、前記弾性体に対して前記第二係合部とは反対側に設けられ、前記第一嵌合部と嵌合可能な第二嵌合部とを備え、
前記対向部材は、前記第一係合部と前記第二係合部が係合され、前記第一嵌合部と前記第二嵌合部が嵌合されることで、前記特定部材に対して取り付けられることを特徴とする請求項１〜８の何れかに記載の遊技機。
【発明の詳細な説明】
【技術分野】
【０００１】
本発明は、遊技機に関する。
【背景技術】
【０００２】
従来、移動可能に設けられた可動部材と連動する電気配線を備えた遊技機が知られている。例えば、特許文献１に記載の遊技機は、可動部材と、電飾基板と、電気配線と、下側蓋部材とを備える。可動部材は、遊技盤に直線移動可能に設けられる。電飾基板は、可動部材に固定される。電気配線の一端部は、コネクタメス部と接続するコネクタ接続部であり、電気配線の他端部は、遊技機本体と接続する。電気配線は、一例として、フレキシブルフラットケーブルである。下側蓋部材は、樹脂製で板状の突起部を有する。突起部は、電気配線を押さえる。
【先行技術文献】
【特許文献】
【０００３】
【特許文献１】特開２０１０−２３４０２０号公報
【発明の概要】
【発明が解決しようとする課題】
【０００４】
上記遊技機では、可動部材が動いた場合、電気配線は突起部と摺動するおそれがある。この場合、突起物が樹脂製であるので、電気配線は摩耗し、断線するおそれがあった。
【０００５】
本発明の目的は、電気配線の断線が生じにくい遊技機を提供することである。
【課題を解決するための手段】
【０００６】
本発明の第一態様に係る遊技機は、遊技盤に設けられた特定部材と、前記特定部材に配設された電気配線と、前記電気配線を間にして前記特定部材と対向する対向部材と、前記対向部材に設けられ、前記電気配線と接触する弾性体とを備えたことを特徴とする。
【０００７】
上記構成によれば、特定部材と対向部材とが互いに対向する方向に沿って、弾性体が電気配線と接触するので、電気配線の動きは抑制される。そして、電気配線が動く場合であっても、電気配線の動きに応じて弾性体は変形できるので、電気配線に作用する負荷は小さくなる。よって、電気配線の断線が生じにくい遊技機が実現する。
【０００８】
上記遊技機において、前記対向部材に配置され、前記特定部材と前記対向部材とが対向する方向に沿って凸又は凹となる部位であって、前記弾性体と対向する配置部を備えてもよい。この場合、特定部材と対向部材とが対向する方向と直交する方向において、対向部材に設けられる弾性体の位置が決まる。よって、弾性体は、電気配線に対して接触し易くなる。
【０００９】
上記遊技機において、前記弾性体は、前記電気配線が延びる方向に沿って延びてもよい。この場合、弾性体は、電気配線が延びる方向での接触する長さが長くなる。そして、電気配線が特定部材と対向部材とが対向する方向へ動く場合であっても、弾性体は、電気配線の動きに応じて変形し、変形により生じた弾性力によって電気配線の動きを抑制できる。よって、電気配線がその延びる方向から特定部材と対向部材とが対向する方向へ動く場合、弾性体は、電気配線の動きを効果的に抑制できる。
【００１０】
上記遊技機において、前記特定部材は、前記遊技盤に固定される固定部材を備え、前記対向部材は、前記固定部材と対向した演出部材であってもよい。この場合、弾性体が設けられる対向部材は、遊技機の演出に係る部材としての機能も併せて発揮できるので、遊技機は部品点数を低減できる。
【００１１】
上記遊技機において、前記特定部材は、前記遊技盤に対して一定方向に移動可能に設けられた可動部材と、前記遊技盤に固定される固定部材とを備え、前記対向部材は、前記固定部材と対向した演出部材を備え、前記電気配線は、前記可動部材と前記固定部材とに接続し、且つ前記可動部材と連動し、前記弾性体は、前記一定方向に沿って延びてもよい。この場合、弾性体は可動部材の移動方向に沿って延びて電気配線と接触している。よって、電気配線が動きやすい方向である可動部材の移動方向において、可動部材の移動に伴って電気配線が引っ張られることがなくなる。従って、電気配線の断線が生じにくい遊技機が実現する。
【００１２】
上記遊技機において、前記一定方向に延び、前記可動部材の移動を案内するガイド部材を備え、前記ガイド部材は、前記固定部材と前記演出部材とで挟持されることで保持されてもよい。この場合、固定部材と演出部材とがガイド部材を保持する部材としても用いられるので、部品点数を少なくすることができる。
【００１３】
上記遊技機において、前記電気配線の可動範囲を避ける位置に設けられ、正逆回転することで前記可動部材を前記一定方向に移動させる駆動源を備えてもよい。この場合、駆動部が電気配線の可動範囲を避ける位置に設けられているので、駆動部による電気配線の巻き込み等による遊技機の故障のリスクを軽減できる。
【００１４】
上記遊技機において、前記一定方向に延び、前記可動部材の移動を案内するガイド部材を備え、前記駆動源は、前記固定部材に対して前記一定方向と直交する所定方向における一方側の端部に設けられ、前記可動部材は、前記所定方向における一方側の端部であって、前記駆動源と連結する駆動部と、前記所定方向における他方側の端部であって、前記駆動部に従動する従動部とを備え、前記ガイド部材は、前記駆動部の移動を案内する第一ガイド部材と、前記従動部の移動を案内する第二ガイド部材とを備え、前記電気配線は、前記固定部材に対して前記所定方向における他方側の端部に設けられてもよい。この場合、可動部材は、所定方向における一方側の端部が駆動源と連結して駆動し、所定方向における他方側の端部が駆動部に従動し、二つのガイド部材に案内されて移動する片側駆動である。電気配線は、片側駆動が設けられる側と反対の他方側の端部に設けられるので、可動部材は、自身の移動により電気配線の動きを抑制できる。
【００１５】
上記遊技機において、前記対向部材と前記特定部材の何れか一方に設けられた第一係合部と、前記対向部材と前記特定部材の何れか他方に設けられ、前記第一係合部と係合可能な第二係合部と、前記何れか一方に設けられ、前記弾性体に対して前記第一係合部とは反対側に設けられた第一嵌合部と、前記何れか他方に設けられ、前記弾性体に対して前記第二係合部とは反対側に設けられ、前記第一嵌合部と嵌合可能な第二嵌合部とを備え、前記対向部材は、前記第一係合部と前記第二係合部が係合され、前記第一嵌合部と前記第二嵌合部が嵌合されることで、前記特定部材に対して取り付けられてもよい。この場合、第一係合部と第二係合部が係合し、第一嵌合部と第二嵌合部が嵌合するだけで対向部材と特定部材を取り付けられる。よって、対向部材は簡便に特定部材に取り付けられる。
【図面の簡単な説明】
【００１６】
【図１】パチンコ機１の正面図である。
【図２】遊技盤２の正面図である。
【図３】演出装置３０の斜視図である。
【図４】可動表示部３５周囲の正面図である。
【図５】図４より演出部材６２及びカバー体７１を取り除いた図である。
【図６】左固定部材６３、演出部材６２及び左ガイド部材６４の分解斜視図である。
【図７】演出部材６２の後方からの斜視図である。
【図８】可動表示部３５周囲の後方からの斜視図である。
【図９】可動表示部３５の横断面図である。
【図１０】電気配線９０の配線を示す図である。
【図１１】左固定部材６３の上下方向の略中央における部分拡大図である。
【図１２】中間部材８０の後方からの斜視図である。
【図１３】図４に示す可動表示部３５周囲のＩ−Ｉ線矢視方向断面図である。
【図１４】可動表示部３５が下降位置にある場合の可動表示部３５周囲の正面図である。
【図１５】可動表示部３５が下降位置にある場合の可動表示部３５周囲の要部断面図である。
【００１７】
本発明に係る遊技機の一実施の形態であるパチンコ機１について、図面を参照して説明する。以下の説明では、図１の手前側、奥側、上側、下側、左側、及び右側を、それぞれ、パチンコ機１の前側（正面側）、後側（背面側）、上側、下側、左側、及び右側とする。
【００１８】
図１及び図２を参照して、パチンコ機１の機械的構成について説明する。図１に示すように、パチンコ機１の上半分の部分には遊技盤２が設けられている。遊技盤２は略正方形であり、透明なガラス板を保持したガラス枠１３によって前面を保護されている。遊技盤２の下方部には、遊技球発射装置（図示外）に遊技球を供給し、且つ賞球を受ける上皿５が設けられている。上皿５の直下には、賞球を受ける下皿６が設けられている。下皿６の右横には、遊技球の発射を調整する発射ハンドル７が設けられている。ガラス枠１３の上部の左右の角にはスピーカ４８がそれぞれ設けられている。
【００１９】
図２に示すように、遊技盤２の前面には、ガイドレール３で囲まれた略円形の遊技領域４が形成されている。遊技球発射装置によって発射された遊技球は、遊技領域４内を流下する。遊技領域４の略中央には、表示開口８が設けられる。表示開口８の正面視内側には、演出装置３０が設けられる。演出装置３０は、可動表示部３５と、回転演出機構４０を備える。可動表示部３５に設けられた複数のＬＥＤが点灯することにより、可動表示部３５は、０〜９のいずれかの数字を左右に三つ並べて表示する。大当たり判定に伴う変動演出の実行時に、可動表示部３５は各数字を変動させながら表示し、その後、各数字を確定表示させる。本実施形態の可動表示部３５は昇降可能である。回転演出機構４０は、可動表示部３５よりも後方となる前後位置に設けられ、可動表示部３５の下降によって視認容易となってから動作する。可動表示部３５の構成の詳細は後述する。回転演出機構４０は、一例として保留報知演出の実行に伴い動作する。
【００２０】
表示開口８の下方には第一始動口１４が設けられ、表示開口８の右方には第二始動口１２が設けられる。第二始動口１２の開閉部材が開放されると、遊技球は第二始動口１２に入賞容易となる。第一始動口１４の下方には、大入賞口１６、アウト口１９が設けられる。大入賞口１６に設けられた開閉部材が開放されると、遊技球は大入賞口１６に入賞容易となる。アウト口１９は、遊技領域４の下端まで流下した遊技球を回収する。
【００２１】
第二始動口１２の下方には、入賞装置２５が設けられる。遊技球は入賞装置２５の内部に上方から進入する。入賞装置２５の内部には、複数の大入賞口（図示外）が設けられる。各大入賞口には開閉部材が設けられており、開閉部材が開放されると遊技球は大入賞口に入賞容易となる。入賞装置２５の特定の大入賞口の内部には特定領域と非特定領域が設けられており、遊技球が特定領域を通過することを契機として確率変動状態が生起される。尚、入賞装置２５の内部でいずれの大入賞口にも入賞し損ねた遊技球は、左下に向けて放出される。
【００２２】
パチンコ機１は、主基板（図示外）、サブ基板（図示外）等を備える。主基板とサブ基板とは電気的に接続し、それぞれにＣＰＵ、ＲＯＭ、及びＲＡＭ等が設けられる。主基板は、遊技球が入球する第一始動口１４、第二始動口１２及び入賞装置２５内部の複数の大入賞口の入球状況に応じて、遊技者に所定数の遊技球を賞球として付与する。サブ基板は、主基板から送信されるコマンドに従って演出装置３０等を動作させ、演出などの総合的な制御を行う。
【００２３】
図３を参照して、演出装置３０の概略について説明する。演出装置３０は、可動表示部３５と、回転演出機構４０の他に、固定箱５１、装飾部材６１、演出部材６２、左固定部材６３及び電飾部材６５を備える。固定箱５１は、前後方向に開口した略直方体の箱形状である。固定箱５１は、例えば樹脂で形成される。固定箱５１は、可動表示部３５、回転演出機構４０、装飾部材６１、演出部材６２及び左固定部材６３を収容する。固定箱５１は、遊技盤２の略中央に遊技盤２の後側から固定される。演出装置３０は、遊技盤２の表示開口８を介してパチンコ機１の正面側に露出される。
【００２４】
装飾部材６１、演出部材６２及び左固定部材６３は、上下方向に延びる箱形状である。装飾部材６１及び演出部材６２は、後方に向けて開口している。左固定部材６３は、前方に向けて開口している。装飾部材６１、演出部材６２及び左固定部材６３は、例えば透明樹脂で形成される。演出部材６２の構造の詳細は後述する。
【００２５】
左固定部材６３は、固定箱５１の背面の左前部に固定される。すなわち、左固定部材６３は、固定箱５１を介して間接的に遊技盤２に固定される。演出部材６２は、左固定部材６３の前側に配置され、左固定部材６３に対して固定される。装飾部材６１は、演出部材６２の前側に配置され、演出部材６２に対して固定される。
【００２６】
装飾部材６１及び演出部材６２の前面には凹凸が形成されている。本実施形態において、装飾部材６１及び演出部材６２の前面にはシボ加工によって凹凸が形成されている。装飾部材６１及び演出部材６２の前面に施された凹凸によって演出部材６２よりも後側を視認することは困難である。本実施形態の演出部材６２は、装飾部材６１の前面に施された凹凸によって視認困難である。
【００２７】
装飾部材６１及び演出部材６２はいずれも演出部材である。演出部材は、遊技の演出に寄与する部材である。例えば、演出部材は、遊技者に視認させる飾りである装飾部材のみならず、遊技者から視認困難な位置にて演出に寄与する部材である演出補助部材も指す。装飾部材は固定されていてもよいし、移動可能に設けられてもよい。演出補助部材は、遊技者に視認させる光を乱反射する部材であってもよいし、遊技者に視認させる光を低減させる部材であってもよいし、スピーカ４８などの音源から放たれる音を反響させる部材であってもよい。本実施形態の演出部材６２は、遊技者に視認させる光を乱反射する演出補助部材である。
【００２８】
電飾部材６５は、左固定部材６３の左側に上下方向に延びて設けられる（図４参照）。電飾部材６５は装飾部材６１によって前面が覆われる。電飾部材６５は、ＬＥＤを内蔵しており発光可能である。電飾部材６５によって前側に放たれる光は、演出部材６２の凹凸によって装飾部材６１へ乱反射された後、装飾部材６１の凹凸によって前側へ乱反射される。これにより、装飾部材６１及び演出部材６２は、遊技中の演出を補助する。
【００２９】
図４〜図６を参照して、可動表示部３５の周囲の構造について説明する。図４に示すように、可動表示部３５の右方にはカバー体７１が設けられる。固定箱５１背面の右端部の上下方向略中央にはモータ７２が設けられる。演出部材６２の上端部６２４は、後述する演出制御基板９５と対向している。演出制御基板９５は、サブ基板から送信されるコマンドに従って可動表示部３５を動作させる。
【００３０】
図５に示すように、左固定部材６３には、演出制御基板９５、四個の固定孔６３７、演出制御基板９５、電気配線９０（例えば、フレキシブルフラットケーブル）、左側下収容部６３１、左側上収容部６３２及び左ガイド部材６４が設けられる。四個の固定孔６３７は、円孔であり、左固定部材６３の左右それぞれの端部に二個ずつ上下に並んで設けられる。左固定部材６３は、ネジ（図示外）を後述する演出部材６２の固定孔６２８（図８参照）に挿通された後に固定孔６３７にネジ締めされることで、演出部材６２を固定する。電気配線９０は、左右方向において左右両端の固定孔６３７の間に配置される。
【００３１】
演出制御基板９５は、左固定部材６３の上端部に固定されて設けられる。演出制御基板９５は、左右方向に延びる略矩形状である。演出制御基板９５には接続部９５１を備える。接続部９５１は演出制御基板９５の左部の上下方向略中央に設けられる。接続部９５１は電気配線９０の一端と接続する（詳細は後述する）。
【００３２】
図５及び図６に示すように、左側下収容部６３１及び左側上収容部６３２は、略直方体の箱形状で、左固定部材６３の前部に設けられる。左側下収容部６３１及び左側上収容部６３２は、左固定部材６３の右部に上下方向に沿って並べて設けられる。左側下収容部６３１は、前方と上方に向けて開口した左側下開口部６３１ａを有する。左側上収容部６３２は、前方と下方に向けて開口した左側上開口部６３２ａを有する。
【００３３】
左ガイド部材６４は、上下方向に延びる略円柱状に形成される。左ガイド部材６４は、例えば金属である。左ガイド部材６４の下端部は、左側下収容部６３１に略隙間なく収容される。左ガイド部材６４の上端部は、左側上収容部６３２に略隙間なく収容される。左ガイド部材６４の前端は、左側下収容部６３１及び左側上収容部６３２の前面と略同じ前後位置にある。
【００３４】
固定箱５１の背面の右前部には、右固定部材７３が固定される。右固定部材７３は、上下方向に延びる略矩形状の板状部材である。右固定部材７３は、例えば透明樹脂で形成される。右固定部材７３には、右側下収容部７３１、右側上収容部７３２、右ガイド部材７４、モータ７２及びストッパ７５が設けられる。
【００３５】
右側下収容部７３１及び右側上収容部７３２は、右固定部材７３の左部に設けられる。右側下収容部７３１及び右側上収容部７３２は、略直方体の箱形状で、右固定部材７３の前面側に設けられる。右側下収容部７３１及び右側上収容部７３２は、右固定部材７３の右部に上下方向に沿って並べて設けられる。右側下収容部７３１の形状は、左側下収容部６３１と左右対称である。右側上収容部７３２の形状は、左側上収容部６３２と左右対称である。
【００３６】
右ガイド部材７４は、上下方向に延びる略円柱状に形成される。右ガイド部材７４は、例えば金属である。右ガイド部材７４の下端部は右側下収容部７３１に、右ガイド部材７４の上端部は右側上収容部７３２に略隙間なく収容される。
【００３７】
モータ７２は、右固定部材７３の右部に設けられる。モータ７２は正逆回転可能である。モータ７２は、モータ筐体７２０、出力軸（図示略）及びギア７２１（図６参照）を有する。モータ筐体７２０は略円筒形状に形成される。モータ筐体７２０は、右固定部材７３の上下方向の中央部にて、正面視で略円形となるように前方に突出して固定される。出力軸は、前後方向に延び、モータ筐体７２０より後方に突出して設けられる。出力軸は、モータ筐体７２０と同軸上に設けられる。ギア７２１は出力軸の先端部に設けられる。ギア７２１は、右固定部材７３と隙間をあけて前方から対向する。ストッパ７５は右固定部材７３の上端部に設けられる。ストッパ７５は、可動表示部３５の保持又は保持の解除をすることができる。
【００３８】
図７を参照して、演出部材６２について説明する。演出部材６２は、表面凹凸部６２０、上端部６２４及び弾性体９１を備える。表面凹凸部６２０は、上下方向に延びる略矩形状の板状部材である。表面凹凸部６２０の前面には、シボ加工が施されて凹凸状に形成される。表面凹凸部６２０は、四個の固定孔６２８、下押え部６２２及び上押え部６２３を備える。四個の固定孔６２８は、円孔であり、表面凹凸部６２０の左右それぞれの端部に二個ずつ上下に並んで設けられる。四個の固定孔６２８と左固定部材６３の固定孔６３７とは、前後方向に対向する。電気配線９０（図７では図示略）は、左右方向において左右両端の固定孔６２８の間に配置される。
【００３９】
下押え部６２２及び上押え部６２３は、表面凹凸部６２０の右部に上下方向に沿って並べて設けられる。下押え部６２２には左右方向に延びる三つのリブ６２２ａが設けられ、上押え部６２３には左右方向に延びる三つのリブ６２３ａが設けられる。三つのリブ６２２ａは、上下方向に厚みのある矩形板状であり、上下方向に沿って並べて設けられる。三つのリブ６２３ａも、上下方向に厚みのある矩形板状であり、上下方向に沿って並べて設けられる。下押え部６２２（図６参照）は左側下収容部６３１の前面と、上押え部６２３（図６参照）は左側上収容部６３２の前面とそれぞれ当接する。左ガイド部材６４（図６参照）は、左側下収容部６３１と左側上収容部６３２とで収容されて左右方向及び上下方向の移動が規制されたうえで、演出部材６２によって挟持されて前後方向の移動が規制される。よって、左ガイド部材６４は、左固定部材６３（図６参照）と演出部材６２とで保持される。
【００４０】
上端部６２４は、表面凹凸部６２０の上端から後方に延び、更に上側に向けて折れ曲がる板状である。上端部６２４は、上端部６２４のうちで上下方向に延びる後部６２４ａを備える。後部６２４ａは、弾性体固定部６２５、上位置決めリブ６２６及び一対の左右位置決めリブ６２７を備える。弾性体固定部６２５は、後部６２４ａの背面下部である。弾性体固定部６２５は左右に延びる略矩形の平面状に形成される。
【００４１】
上位置決めリブ６２６は、後部６２４ａの左右全域に亘って設けられる。上位置決めリブ６２６は、弾性体固定部６２５の上側に配置される。上位置決めリブ６２６は、後部６２４ａから、演出部材６２と左固定部材６３とが対向する前後方向の一方向である後方に突出して設けられる。上位置決めリブ６２６は、左右方向に延びる略直方体形状である。一対の左右位置決めリブ６２７は、後部６２４ａの左右それぞれの端部より内方に向けて延びる。一対の左右位置決めリブ６２７は、弾性体固定部６２５上に配置される。一対の左右位置決めリブ６２７は、後部６２４ａから、演出部材６２と左固定部材６３とが対向する前後方向の一方向である後方に突出して設けられる。一対の左右位置決めリブ６２７は、左右方向に延びる略直方体形状である。
【００４２】
弾性体９１は、弾性体固定部６２５に配置される。上位置決めリブ６２６及び一対の左右位置決めリブ６２７によって、上方向と左右方向における弾性体９１の移動は規制される。すなわち、弾性体９１の収容位置は、上位置決めリブ６２６及び一対の左右位置決めリブ６２７によって決まる。弾性体９１の前面は、両面テープ（図示外）を介して弾性体固定部６２５に固定され、これにより、弾性体９１の前後方向における移動は規制される。弾性体９１は、左右方向に延びる直方体状である。本実施形態の弾性体９１は、例えばゴムで形成されており、前後方向、左右方向、及び上下方向に弾性変形可能である。弾性体９１は、後部６２４ａよりも後方に突出する（図１３参照）。
【００４３】
図８〜図１０を参照し、可動表示部３５の構造について説明をする。図８に示すように、可動表示部３５は、駆動部３５１及び従動部３５２を備える。駆動部３５１は、可動表示部３５の右端部に設けられる。駆動部３５１は、上下方向において右側下収容部７３１と右側上収容部７３２との間に配置される。駆動部３５１は、上下方向に延びる。駆動部３５１の上下方向の長さは、可動表示部３５の昇降の移動範囲と略等しい。駆動部３５１は、ラック部３５１ａ及び右貫通孔３５１ｂを備える。ラック部３５１ａは、駆動部３５１の右端部に設けられる。ラック部３５１ａの右壁部には歯が形成される。ラック部３５１ａの歯は、ギア７２１の歯と噛合する。右貫通孔３５１ｂは駆動部３５１を上下方向に貫通する孔である。右ガイド部材７４は、右貫通孔３５１ｂに遊挿される。
【００４４】
従動部３５２は、可動表示部３５の左端部に設けられる。従動部３５２は、上下方向において左側下収容部６３１と左側上収容部６３２との間に配置される。従動部３５２は、上下方向に延びる。従動部３５２は、左貫通孔（図示略）、挿入部３５３を備える。左貫通孔は従動部３５２を上下方向に貫通する孔である。左ガイド部材６４は、左貫通孔に遊挿される。挿入部３５３は、従動部３５２の左端部に設けられる。挿入部３５３の構造については後述する。
【００４５】
図８、図９に示すように、可動表示部３５は、表示部３５４、表示部基板３５６、背面部３５５、対向部３５９及び弾性体９４を備える。表示部３５４は、可動表示部３５の前部に設けられ、駆動部３５１及び従動部３５２よりも前方に配置される。表示部３５４は、駆動部３５１と従動部３５２との間に配置される。表示部３５４は、駆動部３５１及び従動部３５２と連結する。表示部３５４は、左右方向に延びる略箱形状で、後方に向けて開口している。
【００４６】
表示部基板３５６は、表示部３５４に収容される。表示部基板３５６は、左右方向に延びる略八角形状の板状部材で形成される。表示部基板３５６の前面には複数のＬＥＤ（図示外）が設けられている。複数のＬＥＤの点灯パターンにより、例えば、表示部３５４を介して大当たり判定の結果を遊技者に報知する。表示部基板３５６の背面には、接続部３５７が設けられる。接続部３５７は電気配線９０の他端と接続する（詳細は後述する）。
【００４７】
背面部３５５は、表示部３５４及び表示部基板３５６に固定される。背面部３５５は、左右方向に延びる略矩形状の板状部材で形成される。背面部３５５は、表示部３５４の開口を閉塞する。
【００４８】
対向部３５９は、可動表示部３５の左後部に設けられる。対向部３５９の左端部は、挿入部３５３の右端部と接続する。対向部３５９は、挿入部３５３との接続部から前方に延び、更に右方に折れ曲がる板状である。対向部３５９は、第一対向部３５９ａと第二対向部３５９ｂを備える。第一対向部３５９ａは、対向部３５９のうち挿入部３５３との接続部から前方に延びる部位である。第二対向部３５９ｂは、対向部３５９のうち第一対向部３５９ａの前端部より右方に延びる部位である。
【００４９】
第二対向部３５９ｂは収容部３５９ｄを備える。収容部３５９ｄは第二対向部３５９ｂから、第二対向部３５９ｂと表示部基板３５６とが対向する前後方向の一方向である前方に向けて突出する。収容部３５９ｄは、上下方向に延びる略矩形状である。収容部３５９ｄは中央部が後方に向けて凹んでいる。収容部３５９ｄの中央部の凹みには、弾性体固定部３５９ｃが上下に延びる略矩形の平面状に形成される。
【００５０】
弾性体９４は、収容部３５９ｄに収容される。弾性体９４が収容部３５９ｄの凹みに収容されることで、上下方向と左右方向における弾性体９４の移動は規制される。すなわち、弾性体９４の収容位置は、収容部３５９ｄの凹みによって決まる。弾性体９４の背面は、両面テープ（図示外）を介して弾性体固定部３５９ｃに固定され、これにより、弾性体９４の前後方向における移動は規制される。弾性体９４は、上下方向に延びる直方体状である。本実施形態の弾性体９４は、例えばゴムで形成されており、前後方向、左右方向、及び上下方向に弾性変形可能である。
【００５１】
図１０に示すように、挿入部３５３は、第一挿入部３５３ａ、第二挿入部３５３ｂ、第一屈曲部３５３ｃ、第二屈曲部３５３ｄ及び弾性体９３を備える。第一挿入部３５３ａ、第二挿入部３５３ｂ、第一屈曲部３５３ｃ及び第二屈曲部３５３ｄは、前後方向に厚みのある略板状部材で形成される。第一挿入部３５３ａ及び第二挿入部３５３ｂは、上方向に延びる。第一挿入部３５３ａの上端部から第一屈曲部３５３ｃが右方に延びる。第二挿入部３５３ｂの上端部から第二屈曲部３５３ｄが右方に延びる。
【００５２】
第一挿入部３５３ａは、後方から第二挿入部３５３ｂと対向する。第一挿入部３５３ａと第二挿入部３５３ｂとの間には、第一通路３５３ｆ（図１３参照）が上下方向に延びて形成される。第一屈曲部３５３ｃと第二屈曲部３５３ｄとは、前後方向に沿って対向する。第一屈曲部３５３ｃと第二屈曲部３５３ｄとの間には、第二通路（図示外）が左右方向に延びて形成される。第二通路は第一通路３５３ｆと連通する。
【００５３】
第一挿入部３５３ａには、凹部３５３ｇが設けられる。凹部３５３ｇは、第一挿入部３５３ａから第一挿入部３５３ａと第二挿入部３５３ｂが対向する前後方向の一方向である後方に向けて略矩形状に凹んでいる。凹部３５３ｇの凹みには、弾性体固定部３５３ｅ（図１３参照）が上下に延びる略矩形の平面状に形成される。
【００５４】
弾性体９３は、凹部３５３ｇに収容される。弾性体９３が凹部３５３ｇに収容されることで、上下方向と左右方向における弾性体９３の移動は規制される。すなわち、弾性体９３の収容位置は、凹部３５３ｇによって決まる。弾性体９３の背面は、両面テープ（図示外）を介して弾性体固定部３５３ｅに固定され、これにより、弾性体９３の前後方向における移動は規制される。弾性体９３は、上下方向に延びる直方体状である。本実施形態の弾性体９３は、例えばゴムで形成されており、前後方向、左右方向、及び上下方向に弾性変形可能である。
【００５５】
可動表示部３５は左脚部３５８を備える。左脚部３５８は背面部３５５から後方に延びる。左脚部３５８の後端部は、従動部３５２と接続される（図１０では図示外）。左脚部３５８の左後部は、第二屈曲部３５３ｄの右端部と接続する。左脚部３５８と第一対向部３５９ａとは、左右方向に沿って対向する。左脚部３５８と第一対向部３５９ａとの間には、第三通路（図示外）が前後方向に延びて形成される。第一対向部３５９ａの左端部は、第一屈曲部３５３ｃの右端部と接続する。第三通路は第二通路と連通する。
【００５６】
第二対向部３５９ｂと表示部基板３５６とは、前後方向に沿って対向する。第二対向部３５９ｂと表示部基板３５６との間には、電気配線９０が挿入可能な第四通路３５６ａ（図９参照）が左右方向に延びて形成される。第四通路３５６ａは第三通路と連通する。
【００５７】
図１０を参照し、電気配線９０について説明する。電気配線９０は、演出制御基板９５の接続部９５１と、表示部基板３５６の接続部３５７とを接続する。電気配線９０は、第一電気配線部９０１、第二電気配線部９０２、曲折部９０４、第三電気配線部９０３を備える。
【００５８】
第一電気配線部９０１は、表示部基板３５６の接続部９５１から下方に延び、電気配線９０の約３分の１を構成する。第一電気配線部９０１は、左固定部材６３と演出部材６２の間となる前後位置に配置される。第二電気配線部９０２は、第一電気配線部９０１の下端から円弧状に湾曲して延び、更に、第一電気配線部９０１の前方で上方に向けて延びる。第二電気配線部９０２の前上部は、挿入部３５３の第一通路３５３ｆに挿入される。曲折部９０４は、第二電気配線部９０２の上端と接続する。曲折部９０４は、右上方から左下方に向けて直線状に延びる電気配線９０の折れ目である。第三電気配線部９０３は、曲折部９０４から右方に延び、第二通路、第三通路及び第四通路３５６ａに挿入される。第三電気配線部９０３の一端は、接続部３５７に接続される。電気配線９０が、演出制御基板９５と表示部基板３５６とを接続することによって、演出制御基板９５と表示部基板３５６は、互いにコマンドの送受信を行うことができる。
【００５９】
第一電気配線部９０１の下端部の前方には、中間部材８０が配置される。中間部材８０は、左固定部材６３と対向する。中間部材８０は左固定部材６３の中間部材保持部６３３によって保持される。電気配線９０は、中間部材８０と左固定部材６３とで挟み込まれる。中間部材８０の説明は後述する。
【００６０】
図１１を参照して、中間部材保持部６３３について説明する。左固定部材６３は中間部材保持部６３３を備える。中間部材保持部６３３は、左固定部材６３の上下方向の略中央に設けられる。中間部材保持部６３３は、弓部６３４、スリット部６３８、凸部６３５及び一対のリブ６３６を備える。
【００６１】
弓部６３４は、中間部材保持部６３３の右側に設けられる。弓部６３４は、左側面視でＣ字状に形成された棒状部材である。弓部６３４の後端部は、左固定部材６３の前部と一体的に形成される。弓部６３４は、左右方向に貫通する横孔６３４ａを有する。スリット部６３８は、左固定部材６３に設けられる。スリット部６３８は、弓部６３４の二つの後端部の間に配置される。スリット部６３８は、上下方向に延びる矩形状のスリットである。
【００６２】
凸部６３５は、中間部材保持部６３３の左側に設けられる。凸部６３５は、左固定部材６３の前面から前方に突出する正面視略円形の円柱形状である。一対のリブ６３６は、凸部６３５の上方と下方にそれぞれ設けられる。一対のリブ６３６は、左固定部材６３の前面から前方に突出する左右方向に延びる略直方体形状である。
【００６３】
図１２を参照して、中間部材８０について説明する。中間部材８０は、基部８１及び弾性体９２を備える。基部８１は、略矩形状の板状部材である。基部８１は、弾性体固定部８１４、位置決めリブ８１３、突出部８１１及び円筒部８１２を備える。
【００６４】
弾性体固定部８１４は基部８１の右後部に設けられる。弾性体固定部８１４は上下方向に延びる略矩形の平面状に形成される。位置決めリブ８１３は、弾性体固定部８１４の略全周を囲んで設けられる。位置決めリブ８１３は、基部８１の背面から、中間部材８０が左固定部材６３と対向する方向の一方向である後方に突出して設けられる。
【００６５】
突出部８１１は、位置決めリブ８１３の右端部から右方に突出して設けられる。突出部８１１は、背面視で左右に延びる略矩形状である。突出部８１１の上下方向の長さは、横孔６３４ａの上下方向の幅より若干長い。突出部８１１には、鉤部８１１ａが設けられる。鉤部８１１ａは、突出部８１１から後方に突出しており、平面視で略直角三角形に形成される。鉤部８１１ａは、左後方から右前方に向けて傾斜して延びる傾斜面を有する。
【００６６】
円筒部８１２は、位置決めリブ８１３の左端部に設けられる。突出部８１１と円筒部８１２の左右方向における間隔の大きさは、弓部６３４（図１１参照）と凸部６３５（図１１参照）の左右方向における間隔の大きさと略等しい。円筒部８１２は、略円柱形状で、中間部材８０の背面から中間部材８０と左固定部材６３とが対向する前後方向の一方向である後方に突出している。円筒部８１２は、正面視略円形の円柱形状である。円筒部８１２の外径は、リブ６３６（図１１参照）同士の上下方向の間隔より若干小さい。円筒部８１２は、中央部が前方に凹んだ凹部８１２ａを有する。凹部８１２ａは背面視で略円形である。凹部８１２ａの内径は、凸部６３５の外径と略等しい。
【００６７】
弾性体９２は、位置決めリブ８１３の内側に収容される。弾性体９２が位置決めリブ８１３の内側に収容されることで、上下方向と左右方向における弾性体９２の移動は規制される。すなわち、弾性体９２の収容位置は、位置決めリブ８１３によって決まる。弾性体９２の前面は、両面テープ（図示外）を介して弾性体固定部８１４に固定され、これにより、弾性体９２の前後方向における移動は規制される。弾性体９２は、上下方向に延びる直方体状である。本実施形態の弾性体９２は、例えばゴムで形成されており、前後方向、左右方向、及び上下方向に弾性変形可能である。
【００６８】
中間部材８０の左固定部材６３への取り付けについて、簡単に説明する。突出部８１１が弓部６３４の横孔６３４ａに挿入される。鉤部８１１ａの左端部がスリット部６３８の左端部に係止される。中間部材８０は左固定部材６３に仮止めされる。次いで、凹部８１２ａを凸部６３５に嵌合させる。弓部６３４によって、中間部材８０は前方への移動が規制される。弓部６３４、凸部６３５及び一対のリブ６３６によって、中間部材８０は上下方向への動きが規制される。凸部６３５によって、中間部材８０は左右方向への動きが規制される。中間部材８０は左固定部材６３に取り付けられる。
【００６９】
図９及び図１３を参照して、電気配線９０と弾性体９１〜９４との関係について説明する。弾性体９１は、上下方向において接続部９５１と演出制御基板９５の下端部との間に配置される。弾性体９１は、左固定部材６３と演出部材６２とが互いに対向する前後方向に沿って、第一電気配線部９０１と直接接触する。本実施形態において、弾性体９１は前方向に変形して第一電気配線部９０１と接触し、前後方向に弾性力が付加する。第一電気配線部９０１は、弾性体９１により演出制御基板９５に押さえられる。
【００７０】
弾性体９２は、左固定部材６３と中間部材８０とが互いに対向する前後方向に沿って、第一電気配線部９０１と接触する。本実施形態において、弾性体９２は前方向に変形して第一電気配線部９０１と接触し、前後方向に弾性力を付加する。第一電気配線部９０１は、弾性体９２により左固定部材６３に押さえられる。第一電気配線部９０１は、上端部を弾性体９１に、下端部を弾性体９２によって押えられる。
【００７１】
弾性体９３は、第二挿入部３５３ｂと弾性体固定部３５３ｅとが互いに対向する前後方向に沿って、第二電気配線部９０２と直接接触する。本実施形態において、弾性体９３は後方向に変形して第二電気配線部９０２と接触し、前後方向に弾性力を付加する。第二電気配線部９０２は、弾性体９３により第二挿入部３５３ｂに押さえられる。
【００７２】
弾性体９４は、対向部３５９よりも前方に突出する。弾性体９４は、表示部基板３５６と弾性体固定部３５９ｃとが互いに対向する前後方向に沿って、第三電気配線部９０３と直接接触する。本実施形態において、弾性体９４は後方向に変形して第三電気配線部９０３と接触し、前後方向に弾性力を付加する。第三電気配線部９０３は、弾性体９４により表示部基板３５６に押さえられる。
【００７３】
図５、図１３〜図１５を参照して、可動表示部３５の移動及び電気配線９０の変形について説明する。電気配線９０の一端が可動しない接続部９５１と接続し、他端が上下に昇降して可動する可動表示部３５の接続部３５７に接続されているので、可動表示部３５の上下動に伴って、電気配線９０は変形可能である。より詳細には、可動表示部３５の上下動に応じて、第二電気配線部９０２の湾曲部分の上下位置は変化し、第一電気配線部９０１の前方で上下方向に延びる第二電気配線部９０２の部位の長さは変化する。
【００７４】
まず、上端位置にある可動表示部３５（図５、図１３参照）が、下端位置（図１４、図１５参照）に下降する場合について説明する。上端位置とは、可動表示部３５の昇降の移動範囲の上端である。下端位置は、可動表示部３５の昇降の移動範囲の下端である。
【００７５】
モータ７２は回転駆動を開始する。駆動部３５１のラック部３５１ａの歯はモータ７２のギア７２１の歯と噛合するので、モータ７２の回転に伴いラック部３５１ａは下方に移動する。駆動部３５１は、右ガイド部材７４に案内されて下方向へ移動する。駆動部３５１が下方向へ移動した場合、従動部３５２は、駆動部３５１に従動する。従動部３５２は、左ガイド部材６４に案内されて下方へ移動する。可動表示部３５は、下端位置まで下降する。可動表示部３５の下降に伴い、湾曲部９０２ａは下方に変位し、第一電気配線部９０１の前方で上下方向に延びる第二電気配線部９０２の部位の長さは短くなる。
【００７６】
次いで、下端位置にある可動表示部３５が、上端位置に上昇する場合について説明する。可動表示部３５の下降時とは反対方向にモータ７２が回転した場合、モータ７２の回転に伴いラック部３５１ａは上方に移動する。駆動部３５１は、右ガイド部材７４に案内されて上方向へ移動する。従動部３５２は、駆動部３５１に従動する。従動部３５２は、左ガイド部材６４に案内されて上方へ移動する。可動表示部３５は、上端位置まで上昇する。可動表示部３５の上昇に伴い、湾曲部９０２ａは上方に変位し、第一電気配線部９０１の前方で上下方向に延びる第二電気配線部９０２の部位の長さは長くなる。
【００７７】
可動表示部３５は上下方向のみ移動し、電気配線９０も可動表示部３５の移動に伴い変形するので、電気配線９０は左右方向への変位はしない。可動表示部３５はモータ７２により昇降するが、第一電気配線部９０１及び第二電気配線部９０２が可動表示部３５の左側に設けられるのに対し、モータ７２は可動表示部３５の右方に設けられる（図５及び図１４参照）。よって、モータ７２の回転した場合において、電気配線９０が巻き込まれることは無い。
【００７８】
また、左固定部材６３の四個の固定孔６３７は左固定部材６３の左右の端部にそれぞれ二個ずつ配置され、電気配線９０は左右の端部の固定孔６３７の間に配置される（図５及び図１４参照）。上述の通り、湾曲部９０２ａは左右方向への変位はしないので、左右の固定孔６３７は電気配線９０の変形に対して干渉しない。
【００７９】
以上説明したように、可動表示部３５が上端位置にある場合、湾曲部９０２ａは中間部材８０の下方近傍にある。第一電気配線部９０１の下端は前方に向けて変形する。ここで、第一電気配線部９０１と接触する部材が塑性体である場合、第一電気配線部９０１は塑性体の端部で折れ曲がるように変形する。可動表示部３５が繰り返し昇降した場合、第一電気配線部９０１は塑性体の端部で折れ曲がりながら、塑性体の端部で局部的に滑り、摺動する。この場合、塑性体が変形しないので、塑性体から第一電気配線部９０１に作用する力が大きくなる。従って、折れ曲がった状態で摺動を繰り返した場合、内部に加わる応力が大きくなり、電気配線９０が摩耗し、断線する可能性がある。
【００８０】
本実施形態のパチンコ機１は、弾性体９２を備える。弾性体９２は第一電気配線部９０１と直接接触する。弾性体９２は、第一電気配線部９０１が前方に向けて変形する場合、第一電気配線部９０１の変形に応じて前方に向けて縮むことができる。よって、第一電気配線部９０１が変形した場合においても、弾性体９２が変形し、第一電気配線部９０１が折れ曲がることが抑制される。従って、第一電気配線部９０１に作用する負荷は小さくなる。
【００８１】
さらに、弾性体９２は変形した状態で第一電気配線部９０１を押えるので、第一電気配線部９０１の変形自体が抑制される。よって、電気配線９０に作用する負荷は更に小さくなる。よって、パチンコ機１は、電気配線９０の断線を生じ難くすることができる。
【００８２】
一方、可動表示部３５が下端位置にある場合、湾曲部９０２ａは挿入部３５３の下方近傍にある。挿入部３５３の下方近傍の第二電気配線部９０２は後方に向けて変形する。
【００８３】
ここで、挿入部３５３は弾性体９３を備え、弾性体９３は第一挿入部３５３ａと第二挿入部３５３ｂの対向する前後方向に沿って第二電気配線部９０２と直接接触する。弾性体９３は、第二電気配線部９０２が後方に向けて変形する場合、第一電気配線部９０１の変形に応じて後方に向けて縮むことができる。よって、挿入部３５３においても中間部材８０での説明と同様に、第二電気配線部９０２に作用する負荷は小さくなる。よって、パチンコ機１は、電気配線９０の断線を生じ難くすることができる。
【００８４】
第一電気配線部９０１の上端部は弾性体９１と、下端部は弾性体９２と接触している。また、第三電気配線部９０３は第二通路、第三通路及び第四通路３５６ａによって前後方向の変形が規制されている。そして、第三電気配線部９０３は、右側の端部の近傍で弾性体９４と接触する。従って、第一電気配線部９０１における弾性体９１と弾性体９２の間の部位及び第三電気配線部９０３は、可動表示部３５が昇降した場合でも、変形が生じにくい。ここで、パチンコ機１は輸送時や遊技中においても振動が生じる場合がある。よって、第一電気配線部９０１及び第三電気配線部９０３は微細な変形が生じ得る。
【００８５】
弾性体９１は左固定部材６３と演出部材６２の対向する方向である前後方向に沿って第一電気配線部９０１と直接接触する。また、弾性体９４は表示部基板３５６と演出部材６２の対向する方向である前後方向に沿って第三電気配線部９０３と直接接触する。第一電気配線部９０１及び第三電気配線部９０３が前後方向に変形した場合でも弾性体９１、９４が第一電気配線部９０１及び第三電気配線部９０３の変形に応じて変形する。よって、電気配線９０に作用する負荷は小さくなる。従って、パチンコ機１は、電気配線９０の断線を生じ難くすることができる。
【００８６】
本実施形態において、弾性体９１〜９４（以下説明において、弾性体９１〜９４を総称する場合、単に弾性体ともいう）は、左右方向、上下方向にも弾性変形可能である。よって、電気配線９０が左右方向、上下方向に変位した場合であっても、弾性体は電気配線９０の動きに応じて左右方向、上下方向に変形する。従って、電気配線９０に作用する負荷は小さくなる。よって、パチンコ機１は、電気配線９０の断線を生じ難くすることができる。
【００８７】
弾性体は、電気配線９０と対向する部材である演出部材６２、中間部材８０、第一挿入部３５３ａ及び背面部３５５に固定される。以下説明において、演出部材６２、中間部材８０、第一挿入部３５３ａ及び対向部３５９を総称する場合、単に対向部材ともいう。対向部材には、電気配線９０と対向部材とが対向する前後方向に沿って凸又は凹となる部位（例えば、中間部材８０における位置決めリブ８１３）が設けられる。弾性体は、対向部材の凸又は凹となる部位によって対向部材において固定される上下位置及び左右位置が決まる。よって、弾性体の電気配線９０との接触する場所が一義的に決まり、電気配線９０に対して接触し易くなる。
【００８８】
弾性体９２及び弾性体９３は、電気配線９０が延びる方向に沿って延びる。この場合、電気配線９０が延びる方向において弾性体が接触する長さは長くなる。そして、電気配線９０が左固定部材６３、第二挿入部３５３ｂ及び表示部基板３５６（以下説明において、単に特定部材ともいう）と対向部材とが対向する方向へ動く場合であっても、弾性体は、電気配線９０の動きに応じて変形する。弾性体は、変形により生じた弾性力によって電気配線９０の動きを抑制できる。よって、電気配線９０が特定部材と対向部材とが対向する方向へと動く場合、弾性体は、電気配線９０の動きを効果的に抑制できる。
【００８９】
弾性体９１が設けられた対向部材である演出部材６２は、演出に係る部材でもある。この場合、弾性体９１が設けられる部材と、パチンコ機１の演出に係る部材とが、単一の部材によって実現される。よって、パチンコ機１は部品点数を低減できる。
【００９０】
左ガイド部材６４は、左固定部材６３と演出部材６２とで保持される。この場合、左ガイド部材６４の保持を二つの部材で挟持されることで保持される。よって、左ガイド部材６４の保持に必要な部品点数を少なくすることができる。
【００９１】
可動表示部３５の右端部に設けられた駆動部３５１は、固定箱５１の右端部に設けられたモータ７２と連結して駆動する。駆動部３５１は、右ガイド部材７４に案内されて上下方向に移動する。一方、可動表示部３５の左端部に設けられた従動部３５２は、駆動部３５１に従動して上下方向に移動する。左ガイド部材６４は従動部３５２の上下方向の移動を案内する。電気配線９０は、固定箱５１の左端部に設けられる。可動表示部３５は上下の移動のみ行い、電気配線９０の変形する部位である第二電気配線部９０２は左右方向に動くことを抑制される。これにより、モータ７２の回転した場合において、モータ７２による電気配線９０の巻き込み等によるパチンコ機１の故障のリスクを軽減できる。
【００９２】
中間部材８０は、右端部に鉤部８１１ａ、左端部に凹部８１２ａを備える。左固定部材６３の中間部材保持部６３３は、右側にスリット部６３８、左側に凸部６３５を備える。中間部材８０は、鉤部８１１ａとスリット部６３８が係合され、凹部８１２ａと凸部６３５が嵌合されるだけで、簡便に左固定部材６３に取り付けられる。
【００９３】
弾性体は、対向部材に固定される。電気配線９０と接触する弾性体が対向部材に固定されるので、遊技機は電気配線９０の動きを更に抑制できる。
【００９４】
左固定部材６３は、ネジ（図示外）を演出部材６２の複数の固定孔６２８（図８参照）に通した後に、複数の固定孔６３７にネジ締めされることで固定される。電気配線９０は、左固定部材６３の左右の両端部に設けられる固定孔６３７の間に配置される。上述の通り、電気配線９０は左右方向の動きが抑制されるので、演出部材６２と左固定部材６３は電気配線９０の動きを抑制できる。
【００９５】
装飾部材６１及び演出部材６２の前面にはシボ加工がなされている。これにより、パチンコ機１の正面側にいる遊技者から、演出部材６２より後側の電気配線９０を視認することは困難である。また、演出部材６２の前面には装飾部材６１が固定される。これにより、パチンコ機１の正面側にいる遊技者から、演出部材６２より後側の電気配線９０を視認することは更に困難である。
【００９６】
なお、上記実施形態において、パチンコ機１が本発明の「遊技機」に相当し、左固定部材６３、演出制御基板９５、第二挿入部３５３ｂ及び表示部基板３５６が本発明の「特定部材」に相当し、演出部材６２、中間部材８０、第一挿入部３５３ａ及び第二対向部３５９ｂが本発明の「対向部材」に相当し、弾性体９１、弾性体９２、弾性体９３及び弾性体９４が本発明の「弾性体」に相当し、弾性体固定部６２５、弾性体固定部８１４、弾性体固定部３５３ｅ及び弾性体固定部３５９ｃが本発明の「配置部」に相当し、左固定部材６３が本発明の「固定部材」に相当し、上下方向が本発明の「一定方向」に相当し、可動表示部３５が本発明の「可動部材」に相当し、左ガイド部材６４及び右ガイド部材７４が本発明の「ガイド部材」に相当し、左右方向が本発明の「所定方向」に相当し、モータ７２が本発明の「駆動源」に相当し、右ガイド部材７４が本発明の「第一ガイド部材」に相当し、左ガイド部材６４が本発明の「第二ガイド部材」に相当し、鉤部８１１ａが本発明の「第一係合部」に相当し、スリット部６３８が本発明の「第二係合部」に相当し、凹部８１２ａが本発明の「第一嵌合部」に相当し、凸部６３５が本発明の「第二嵌合部」に相当する。
【００９７】
本発明は、上記実施形態に限定されるものではなく、本発明の要旨を逸脱しない範囲内での変更が可能である。上記実施形態では、弾性体は、対向部材に接着して固定されるが、これに限られない。例えば、弾性体固定部６２５等に凹部を設け、凹部に圧入して弾性体を固定させてもよい。また、対向部材に弾性体を固定しなくてもよい。この場合においても、電気配線９０の特定部材と対向部材の対向する方向における変形に伴い、弾性体が変形するので、電気配線９０に作用する負荷は小さくなる。よって、パチンコ機１は、電気配線９０の断線を生じ難くすることができる。
【００９８】
また、上記実施形態では、弾性体は、電気配線９０と直接接触するが、他部材を介して電気配線９０と間接的に接触してもよい。この場合においても、電気配線９０の変形に伴い弾性体が変形するので、電気配線９０に作用する負荷は小さくなる。よって、パチンコ機１は、電気配線９０の断線を生じ難くすることができる。
【００９９】
また、上記実施形態では、弾性体の材質の一例としてゴムを示したが、弾性体は弾性変形可能であればよく、例えばポリウレタンフォームであってもよい。また、弾性体は、特に対向部材と特定部材が対向する方向である前後方向に弾性変形可能であればよく、左右方向と上下方向に弾性変形可能でなくてもよい。この場合、弾性体は、直方体状に形成されたゴムである代わりに、前後方向に沿って螺旋状に延びるコイルバネであってもよい。
【０１００】
また、上記実施形態では、弾性体は略直方体形状で形成されるが、弾性体の形状はこれに限られない。弾性体は電気配線９０と接触すればよく、例えばシート状でもよい。
【０１０１】
また、上記実施形態では、電気配線９０は、一端を遊技盤２に対して固定された演出制御基板９５の接続部９５１に、他端を上下に昇降する可動表示部３５の表示部基板３５６の接続部３５７に接続されるが、これに限定されない。例えば、電気配線９０の両端は、遊技盤２に対して固定された二つの接続部にそれぞれ接続されてもよい。また、電気配線９０の両端は、遊技盤２に対して移動可能な可動部材に設けられた二つの接続部にそれぞれ接続されてもよい。
【０１０２】
また、上記実施形態では、演出装置３０は、左右方向に長い可動表示部３５を上下方向に往復移動させるが、これに限られない。例えば、本発明に係る可動表示部３５は、左右方向または前後方向に往復移動させる場合にも適用可能である。
【０１０３】
また、上記実施形態では、装飾部材６１及び演出部材６２は透明樹脂で形成されるが、これに限られない。例えば、装飾部材６１及び演出部材６２は透明ではない部材でもよい。この場合でも、演出部材６２は遊技者に視認させる光を、例えば反射可能であればよい。また、装飾部材６１は設けなくてもよい。この場合、演出部材６２は、遊技者から視認容易となり、遊技者に視認させる飾りである装飾部材となる。
【０１０４】
また、上記実施形態では、左固定部材６３は固定箱５１を介して遊技盤２に固定されたが、これに限られない。例えば左固定部材６３は直接遊技盤２に固定されてもよい。
【０１０５】
また、上記実施形態では、可動表示部３５を昇降させる駆動源の一例としてモータ７２を示したが、駆動源は、モータ７２以外でも良く、例えばソレノイドであってもよい。
【０１０６】
また、上記実施形態では、ラック部３５１ａは、モータ７２が有する出力軸の先端に取り付けられたギア７２１と直接連結されたがこれに限らない。ラック部３５１ａ複数のギアを介してギア７２１と連結されてもよい。
【０１０７】
また、上記実施形態では、左ガイド部材６４及び右ガイド部材７４は金属製の略円柱状で形成されたが、左ガイド部材６４及び右ガイド部材７４は可動表示部３５の移動を案内できればよく、例えば上下方向に延び、且つ側面視矩形状のリブで形成されても良い。
【０１０８】
また、上記実施形態では、中間部材８０の鉤部８１１ａと、左固定部材６３のスリット部６３８とが係合されたが、これに限られない。例えば、中間部材８０は突出部８１１から後方に突出した第一係合部としての第一鉤部を備える。左固定部材６３は左固定部材６３の前面から前方に突出した第二係合部としての第二鉤部を備える。この場合、中間部材８０は第一鉤部の左端部と第二鉤部の右端部とを係合させて、仮止めされる。また、上記実施形態では、中間部材８０の凹部８１２ａと、左固定部材６３の凸部６３５とが嵌合されたが、これに限られない。例えば、中間部材８０の第一嵌合部としての凸部と、左固定部材６３の第二嵌合部としての凹部とが係合させてもよい。
【０１０９】
さらには、特許請求の範囲、明細書、及び図面に記載される全ての要素は、個数を意識的に限定する明確な記載がない限り、物理的に単一であっても複数であっても構わないし、適宜配置の変更が行われても構わない。また、特許請求の範囲や明細書等で使用している要素名（要素につけた名前）は、単に本件の記載のために便宜上付与したに過ぎないものであり、それによって特別な意味が生じることを特に意識したものではない。すなわち、要素名のみによって要素がなんであるか限定解釈されるものではない。例えば、「大当たり判定」は、ハード単体でも、ソフトを含んだものであっても構わない。さらには、全ての要素のうちの複数の要素を適宜一体的に構成するか、もしくは一つの要素を複数の要素に分けて構成するかは、特許請求の範囲等において特定していない限り、いずれも当業者であれば極めて容易に考えられる事項であるため、敢えて明細書等において全てのパターンを記載しなくてもいずれのパターンも想定範囲内であることから本発明に係る権利範囲に含まれるのは勿論である。従って、その程度の範囲内での構成上の差異を有する遊技機を、本実施形態に記載がなされていないことを理由に採用することのみでは、本発明に係る権利を回避したことにはならない。その他、各要素の構成や形状等における、本実施形態から当業者であれば容易に考えられる自明な範囲の差異についても同様である。
【符号の説明】
【０１１０】
１        パチンコ機
３５      可動表示部
６２      演出部材
６３      左固定部材
６４      左ガイド部材
７２      モータ
７４      右ガイド部材
８１      中間部材
９０      電気配線
９１      弾性体
９２      弾性体
９３      弾性体
９４      弾性体
９５      演出制御基板
３５１    駆動部
３５２    従動部
３５３ａ  第一挿入部
３５３ｅ  弾性体固定部
３５３ｇ  凹部
３５６    表示部基板
３５９    対向部
３５９ａ  弾性体固定部
３５９ｄ  収容部
６２５    弾性体固定部
６２６    上位置決めリブ
６２７    一対の左右位置決めリブ
６３５    凸部
６３８    スリット部
８１１    鉤部
８１２    凹部
８１３    位置決めリブ
８１４    弾性体固定部
【図１】
2020092873.tif 000003
【図２】
2020092873.tif 000004
【図３】
2020092873.tif 000005
【図４】
2020092873.tif 000006
【図５】
2020092873.tif 000007
【図６】
2020092873.tif 000008
【図７】
2020092873.tif 000009
【図８】
2020092873.tif 000010
【図９】
2020092873.tif 000011
【図１０】
2020092873.tif 000012
【図１１】
2020092873.tif 000013
【図１２】
2020092873.tif 000014
【図１３】
2020092873.tif 000015
【図１４】
2020092873.tif 000016
【図１５】
2020092873.tif 000017